(57)【要約】【課題】組み付け状態及び段積み状態のいずれにおいても、ＩＣタグを読み取れる位置に、位置精度良く、ＩＣタグが固定できる構成を具備するユニットハウス用パネルを提供する。【解決手段】パネル本体２１と、パネル本体２１の高さ方向Ｈの底部に固定された、パネル本体２１をユニットハウス１の梁６に固定する、内部に一部が開放された空間Ｋを有するフレーム２２と、空間Ｋ内に位置するようフレーム２２に設けられたＩＣタグ３０と、を具備したことを特徴とする。【選択図】図４
2011017145.tif 000002
【特許請求の範囲】
【請求項１】
ユニットハウスの梁に組み付けられた際前記ユニットハウスの壁部を構成する、前記梁に組み付け自在なユニットハウス用パネルであって、
パネル本体と、
前記パネル本体の高さ方向の底部に固定された、前記パネル本体を前記ユニットハウスの前記高さ方向の底部側の前記梁に固定する、内部に一部が開放された空間を有する固定部材と、
前記空間内に位置するよう前記固定部材に設けられたＩＣタグと、
を具備したことを特徴とするユニットハウス用パネル。
【請求項２】
前記固定部材は、前記ユニットハウスの前記底部側の前記梁に固定される際、該梁の前記高さ方向の上面及び厚さ方向の一側面に当接するよう、板状の金属部材が折り曲げられることによって形成されており、
前記空間は、折り曲げられた前記金属部材の内部に形成されていることを特徴とする請求項１に記載のユニットハウス用パネル。
【請求項３】
前記パネル本体は、コア材と、該コア材の前記高さ方向の上面及び幅方向の両側面を覆う金属枠と、前記コア材及び前記金属枠の前記厚さ方向の一側面に貼着された金属から構成された外壁材と、前記コア材及び前記金属枠の前記厚さ方向の他側面に貼着された非金属から構成された内壁材とにより構成されており、
前記固定部材は、前記コア材の前記高さ方向の底面を覆うよう、前記コア材の前記両側面を覆う前記金属枠の前記高さ方向の底面にそれぞれ固定されていることを特徴とする請求項２に記載のユニットハウス用パネル。
【請求項４】
前記ＩＣタグは、前記固定部材に対し、前記パネル本体の幅方向におけるいずれかの端部側に設けられていることを特徴とする請求項１〜３のいずれか１つに記載のユニットハウス用パネル。
【請求項５】
前記ＩＣタグは、前記固定部材に対し、前記パネル本体の厚さ方向におけるいずれかの端部側に設けられていることを特徴とする請求項４に記載のユニットハウス用パネル。
【請求項６】
前記ＩＣタグは、非接触で読み出し可能なＩＣタグまたは非接触で読み出し及び書き込み可能なＩＣタグから構成されていることを特徴とする請求項１〜５のいずれか１項に記載のユニットハウス用パネル。
【請求項７】
前記ＩＣタグは、読み出し、または読み書きに１２５ＫＨｚ帯の周波数を利用したＩＣタグから構成されていることを特徴とする請求項６に記載のユニットハウス用パネル。
【発明の詳細な説明】
【技術分野】
【０００１】
本発明は、ユニットハウスの梁に組み付けられた際ユニットハウスの壁部を構成する、梁に組み付け自在なユニットハウス用パネルに関する。
【背景技術】
【０００２】
従来、柱及び梁に、壁、床並びに屋根を結合して室空間を形成したユニットハウスが周知である。
【０００３】
ユニットハウスは、連棟設置や複数階の設置が可能な他、階段、歩廊、屋根等も、容易に組み付け可能となっており、事務所や、店舗、例えば災害の際の簡易住宅として用いられる他、倉庫等にも用いられ、容易に組立及び解体できるよう構成されている。
【０００４】
尚、容易に組立及び解体ができるユニットハウスとして、例えば特許文献１には、折り畳み式のユニットハウスが開示されている。
【０００５】
折り畳み式のユニットハウスは、柱が床に対して平行に折り畳めることにより、未使用の際、ユニットハウスをコンパクトかつ容易に折り畳むことができる他、柱を起立させることにより、ユニットハウスを容易に組み立てることができるといった利点がある。
【０００６】
また、梁に対して壁を構成する複数種類のパネルを組み替えて組み付けることにより、設置現場に応じて、窓や扉の位置を自由に変更することができる他、ユニットハウス内の間取りも自由に変更することができるといった利点がある。
【０００７】
さらには、キッチン、トイレ、シャワー、エアコン等を具備するパネルを、梁に対して組み付けることにより、室内空間を減少させることなく、容易に、ユニットハウスにキッチン、トイレ、シャワー、エアコン等を設置することができるといった利点がある。  
【先行技術文献】
【特許文献】
【０００８】
【特許文献１】実開平５−５８７０６号公報
【発明の概要】
【発明が解決しようとする課題】
【０００９】
ところで、例えばユニットハウスを貸し出すレンタル業者は、通常、ユニットハウスを構成する柱や梁、床、屋根、壁を構成する各種パネル等の商品の管理を、作業者による目視により行っていた。
【００１０】
その結果、入出庫ミスが発生する可能性があるばかりか、棚卸し業務において商品や数量間違いが発生し、棚卸し業務に多くの時間がかかるといった問題がある他、商品のレンタル履歴や収益度が把握し難いといった問題があった。さらには、商品を熟知していないと管理業務が行えないといった問題があった。また、商品管理業務を正確に行わないと、各種商品がファイナンス対象になり難く、レンタル業者にとって不利益を生じていた。
【００１１】
よって、容易かつ正確に、ユニットハウスを構成する商品の管理業務が行えるシステムが望まれていた。
【００１２】
このような事情に鑑み、既知のＩＣタグを、上述した各種商品に付与して商品管理業務を行うシステムも周知ではあるが、通常のＩＣタグは、金属製品への取り付けが困難な他、金属製品に取り付けた際、ＩＣタグの読み取りが困難であるといった問題がある。
【００１３】
そこで、金属対応型ＩＣタグ（例えば、株式会社ハネック、「インメンタルＩＣタグ」）を、各種商品に付与してＩＣタグを用いた管理業務を行う技術も周知である。
【００１４】
ところが、パネルにＩＣタグを付与する場合、パネルは、通常、未使用の際は、段積みされて保管されることから、ＩＣタグを内壁面及び外壁面には固定し難い他、組み付けの邪魔となることを避けるため、ＩＣタグをパネルの上面及び底面、側面にも固定し難い。即ち、ＩＣタグをパネルの外表面に固定し難いといった問題があった。
【００１５】
このような問題に鑑み、パネルのコア材内に、ＩＣタグを埋め込む手法も考えられるが、この場合、ＩＣタグの位置を規定し難い他、ＩＣタグが埋め込まれていると、ＩＣタグの読み取りが困難になるといった問題があった。
【００１６】
よって、組み付け状態及び段積み状態のいずれにおいても、ＩＣタグを読み取れる位置に、位置精度良く、ＩＣタグが固定できる構成が望まれていた。
【００１７】
本発明は、上記事情に鑑みてなされたものであり、組み付け状態及び段積み状態のいずれにおいても、ＩＣタグを読み取れる位置に、位置精度良く、ＩＣタグが固定できる構成を具備するユニットハウス用パネルを提供することを目的とする。
【課題を解決するための手段】
【００１８】
上記目的を達成するため本発明によるユニットハウス用パネルは、ユニットハウスの梁に組み付けられた際前記ユニットハウスの壁部を構成する、前記梁に組み付け自在なユニットハウス用パネルであって、パネル本体と、前記パネル本体の高さ方向の底部に固定された、前記パネル本体を前記ユニットハウスの前記高さ方向の底部側の前記梁に固定する、内部に一部が開放された空間を有する固定部材と、前記空間内に位置するよう前記固定部材に設けられたＩＣタグと、を具備したことを特徴とする。
【発明の効果】
【００１９】
本発明によれば、組み付け状態及び段積み状態のいずれにおいても、ＩＣタグを読み取れる位置に、位置精度良く、ＩＣタグが固定できる構成を具備するユニットハウス用パネルを提供することができる。
【図面の簡単な説明】
【００２０】
【図１】本実施の形態を示すユニットハウス用パネルが組み付け自在なユニットハウスを、２棟連棟した状態で示す斜視図
【図２】図１の幅方向Ｌに９００ｍｍの幅を有するパネルの１つをＩＩ方向からみた正面図
【図３】図２のパネルから外壁材及び内壁材を取り除いた状態を示す部分分解斜視図
【図４】図２中のIV-IV線に沿うパネルの断面図
【図５】図４のパネルの固定部材に設けられたＩＣタグの拡大斜視図
【図６】ユニットハウスから取り外されたパネルが段積みになって保管されている状態を示す図
【図７】図１のユニットハウスに複数のパネルを組み付けた状態を図１のＩＩ方向からみた図
【図８】図１のユニットハウスに複数のパネルを組み付けた状態を図１のＩ方向からみた図
【発明を実施するための形態】
【００２１】
以下、図面を参照して本発明の実施の形態を説明する。尚、以下、ユニットハウスの地面からの起立方向を高さ方向Ｈと定義し、ユニットハウスを図１中のＩ方向からみた場合は、ユニットハウスの連棟方向を幅方向Ｌと定義するとともに連棟方向及び高さ方向Ｈに直交する方向を厚さ方向Ａと定義し、ユニットハウスを図１中のＩＩ方向からみた場合は、ユニットハウスの連棟方向を厚さ方向Ａと定義するとともに連棟方向及び高さ方向Ｈに直交する方向を幅方向Ｌと定義する。
【００２２】
図１は、本実施の形態を示すユニットハウス用パネルが組み付け自在なユニットハウスを、２棟連棟した状態で示す斜視図である。
【００２３】
図１に示すように、ユニットハウス１は、高さ方向Ｈに起立する、例えば４本の柱４と、該４本の柱４の高さ方向Ｈの各上端間を幅方向Ｌ、厚さ方向Ａにおいて連結する、例えば４本の梁５と、４本の柱４の高さ方向Ｈの各下端間を幅方向Ｌ、厚さ方向Ａにおいて連結する、例えば４本の梁６とを具備しており、４本の梁５に対し屋根３が結合されており、４本の梁６に対し床２が結合されている。
【００２４】
また、図示しないが、４本の柱４は、床２及び屋根３に対し平行に折り畳み自在に構成されており、折り畳んだユニットハウス１は、ユニック車等によって、簡単に移動できるよう構成されている。
【００２５】
さらに、４本の梁５及び４本の梁６に対して、複数枚の壁部を構成する各種ユニットハウス用パネル（以下、単にパネルと称す）１０〜１６が組み付け自在となっている。
【００２６】
例えば、パネル１０は、スライド扉１０ａを具備する幅方向Ｌに、例えば１８００ｍｍの幅を有するパネルであり、パネル１１は、窓１１ａを具備する幅方向Ｌに、例えば１８００ｍｍの幅を有するパネルであり、パネル１２は、室外機等のエアコンユニット１２ａを具備する幅方向Ｌに、例えば９００ｍｍの幅を有するパネルである。
【００２７】
また、パネル１３は、幅方向Ｌに、例えば９００ｍｍの幅を有するパネルであり、パネル１４は、換気扇、ブレーカ等のユニット１４ａを具備する幅方向Ｌに、例えば３００ｍｍの幅を有するパネルであり、パネル１５は、キッチン、トイレ、シャワー、玄関等のユニット１５ａを具備する幅方向Ｌに、例えば１８００ｍｍの幅を有するパネルであり、パネル１６は、幅方向Ｌに、例えば３００ｍｍの幅を有するパネルである。
【００２８】
尚、これら以外のパネルが、梁５、６に対して組み付け自在であっても構わない。また、これらのパネル１０〜１６は、設置現場、使用用途、間取りに応じて、適宜、使用が選択される他、組み付け位置が可変自在となっている。その結果、例えば窓１１ａ、スライド扉１０ａ、キッチン等のユニット１５ａの位置を自由に可変することができる。さらに、パネル１０〜１６の幅方向Ｌの幅は、３００ｍｍ、９００ｍｍ、１８００ｍｍに限定されない。
【００２９】
また、図１に示すように、ユニットハウス１は、連棟部材７により、ユニットハウス１をＩ方向から見た際、幅方向Ｌに連棟自在となっている。尚、連棟後は、各ユニットハウス１内の空間を連結して１つの空間として使用することも可能である。
【００３０】
さらに、図１においては、２棟連棟した場合を示しているが、３棟以上であっても連棟可能である他、各ユニットハウス１は、高さ方向に連設することも可能となっている。尚、高さ方向に連設した場合は、階段、歩廊等が組み付け自在となっている。
【００３１】
次に、パネルの構造を、パネル１３を例に挙げて、図２〜図５を用いて説明する。図２は、図１の幅方向Ｌに９００ｍｍの幅を有するパネルの１つをＩＩ方向からみた正面図、図３は、図２のパネルから外壁材及び内壁材を取り除いた状態を示す部分分解斜視図、図４は、図２中のIV-IV線に沿うパネルの断面図、図５は、図４のパネルの固定部材に設けられたＩＣタグの拡大斜視図である。
【００３２】
図２に示すように、パネル１３は、パネル本体２１と、該パネル本体２１の高さ方向Ｈの底部に固定された固定部材であるフレーム２２とを具備している。
【００３３】
図３、図４に示すように、パネル本体２１は、例えばハニカム構造を有する、コア材２６と、該コア材２６の高さ方向Ｈの上面２６ａ及び幅方向Ｌの両側面２６ｃ、２６ｄを覆う金属枠２３と、コア材２６及び金属枠２３の厚さ方向Ａの一側面Ｔ１に貼着された、金属部材から形成された外壁材２５と、コア材２６及び金属枠２３の厚さ方向Ａの一側面Ｔ１とは反対側の他側面Ｔ２に貼着された、非金属部材、例えば合板から形成された内壁材２４とを具備して主要部が構成されている。尚、コア材２６は、ハニカム構造を有するものに限定されず、ウレタン発泡材から構成されていても構わない。また、内壁材２４も金属部材から形成されていても構わない。
【００３４】
フレーム２２は、パネル本体２１を、ユニットハウス１の梁６に固定するものであり、図３、図４に示すように、コア材２６の高さ方向Ｈの底面２６ｂを覆うよう、コア材２６の両側面２６ｃ、２６ｄを覆う金属枠２３の高さ方向Ｈの底面２３ｂに対し、溶接等によって固定されている。
【００３５】
フレーム２２は、板状の金属部材から形成されており、梁６に取り付けられる際、図４に示すように、梁６の高さ方向Ｈの上面６ａ及び厚さ方向Ａの一側面６ｃに当接するよう、複数箇所が折り曲げられて、内部に一部が開放された空間Ｋを有する形状に形成されている。
【００３６】
また、フレーム２２には、２つのボルト貫通孔２２ｈが、厚さ方向Ａに沿って形成されている。貫通孔２２ｈは、パネル１３をユニットハウス１に組み付けた際、梁６に対し、パネル１３を固定するために用いられる、後述するボルト５０が貫通する孔である。
【００３７】
また、フレーム２２内の空間Ｋが形成された側の内面２２ｍに、パネル１３の固有の情報を有する小型の、例えば全長３ｍｍのＩＣタグ３０が、例えば樹脂コーティング３１によって固定されている。具体的には、ＩＣタグ３０は、図３に示すように、内面２２ｍに対し、幅方向Ｌにおけるいずれかの端部側であって、厚さ方向Ａにおけるいずれかの端部側に設けられている。
【００３８】
ＩＣタグ３０は、ガラス管内にＩＣチップが封入されたものを、例えばステンレスの外装で覆うことにより、図５に示すように、例えば円柱形状に形成されている。尚、ＩＣタグ３０の形状は、円柱状に限定されない。
【００３９】
ＩＣタグ３０は、金属対応型ＩＣタグ（例えば、株式会社ハネック、「インメンタルＩＣタグ」）から構成されているとともに、パネル１３の固有の情報、例えばＩＤコード情報を有しており、非接触で読み出しのみ可能な、１２５ｋＨｚ帯の周波数を利用したＩＣタグから構成されている。尚、ＩＣタグ３０内には、ＩＤコードの他、他の情報も入力されていても構わない。
【００４０】
尚、ＩＣタグ３０として、ＵＨＦ帯の周波数を利用したＩＣタグを用いることも考えられるが、この場合、読み取り感度は、１２５ＫＨｚ帯のＩＣタグよりも格段に向上するものの、ＩＣタグのサイズが大きくなってしまうといった問題がある他、読み取りに誤認を生じてしまう場合があるため、あまり適当ではない。
【００４１】
また、ＩＣタグ３０が有している情報が、ＩＤコード情報のみであれば、例え第３者がＩＣタグを読み取ったとしても、読み取られた情報は、ＩＤコードのみであることから、ＩＤコードに基づいたレンタル履歴や収益度等の各種パネル固有の情報は第３者には分からないため、セキュリティを向上させることができる。
【００４２】
さらに、ＩＣタグ３０としては、読み出しのみ可能なものに限らず、非接触で読み書き可能なＩＣタグが用いられても構わない。この場合、コストが増加する他、ＩＣタグに各種情報が書き込まれるため、セキュリティ上の問題は生じるが、より詳細なパネル管理を行うことが可能となる。
【００４３】
また、ＩＣタグ３０が、上述したように、フレーム２２内の一部が開放された空間Ｋが形成された側の内面２２ｍに設けられているのは、例えばコア材２６内において孔を空けて、円柱形状のＩＣタグ３０を嵌入させようとしても、図５に示すように、ＩＣタグ３０には、読み取り指向性があることから、Ｖ方向からしか読み取れず、Ｆ方向からは読み取れないことから、単に孔を空けて、厚さ方向ＡとＦ方向とが一致するよう孔にＩＣタグ３０を嵌入させただけでは、読み取りが行えないためである。さらには、本構成を用いれば、孔等を空けることなく、樹脂コーティング３１を用いるだけで、内面２２ｍの上述した位置に、容易に位置精度良く、ＩＣタグ３０を配置することができるためである。
【００４４】
尚、以上のことは、パネル１３に限らず、パネル１０〜１２、１４〜１６であっても、スライド扉１０ａ、スライド扉１１ａ、エアコンユニット１２ａ、ブレーカ等のユニット１４ａ、キッチン、トイレ、シャワー、玄関等のユニット１５ａを具備している以外は、同様の構成を有している。
【００４５】
次に、このようにパネルに取り付けられたＩＣタグ３０の読み取り方法について、図６〜図８を用いて説明する。図６は、ユニットハウスから取り外されたパネルが段積みになって保管されている状態を示す図、図７は、図１のユニットハウスに複数のパネルを組み付けた状態を図１のＩＩ方向からみた図、図８は、図１のユニットハウスに複数のパネルを組み付けた状態を図１のＩ方向からみた図である。
【００４６】
上述したように、本構成においては、ＩＣタグ３０は、フレーム２２内の一部が開放された空間Ｋが形成された側の内面２２ｍにおいて、幅方向Ｌにおけるいずれかの端部側であって、厚さ方向Ａにおけるいずれかの端部側に設けられていると示した。
【００４７】
よって、ユニットハウス１から取り外した、例えばパネル１３を、図６に示すように、保管状態または製造状態において、厚さ方向Ａに対し、複数枚段積みにして保管したとしても、各パネル１３の外表面には、ＩＣタグ３０は設けられていないことから、ＩＣタグ３０が積み上げの邪魔になることがない他、段積み状態においても、フレームＡの空間Ｋの開放部位を介して、各パネル１３に取り付けられたＩＣタグ３０を、ＰＤＡ等の読み取り機器４０の読み取り部４１から、非接触でそれぞれ容易に読み取ることができる。
【００４８】
また、図７、図８に示すように、ユニットハウス１に各種パネル１１、１３、１６、１９（パネル１９は、例えば玄関扉１９ａを具備する幅方向Ｌに、例えば９００ｍｍの幅を有するパネル）を取り付けた際、各パネル１１、１３、１６、１９の上面、底面、側面には、ＩＣタグ３０は設けられていないことから、組み付けの邪魔になることがない。さらには、パネル組み付け後、例えば図７においては、パネル１３とパネル１１との幅方向Ｌの間隙Ｓ、パネル１３とパネル１９との幅方向Ｌの間隙Ｓ、パネル１３と柱４との幅方向Ｌの間隙Ｓ、図８においては、パネル１６とパネル１１との幅方向Ｌの間隙Ｓ、パネル１１と柱４との幅方向Ｌの間隙Ｓ、パネル１６と柱４との幅方向Ｌの間隙Ｓに、読み取り機器４０の読み取り部４１を近付けるのみで、間隙Ｓを介して、ＩＣタグ３０を読み取ることができる。尚、通常、間隙Ｓは、樹脂等のジョイント材で塞がれていることから、読み取りの際は、ジョイント材を取り外してから行う必要がある。
【００４９】
また、この読み取りは、ユニットハウス１の内部から行っても構わないし、ユニットハウス１の外部から行っても構わないが、金属対応型ＩＣタグは、合板を介して読み取ることが可能であることから、内壁材２４側から読み取る方が好ましい。
【００５０】
また、間隙Ｓからの読み取りがうまくいかない場合は、ボルト５０を緩めて、各種パネルを手前に引き出すことによって生じた大きな隙間から、ＩＣタグ３０を読み込めば、より確実に読み込みを行うことができる。
【００５１】
尚、以上のことは、パネル１０、１２、１４、１５であっても同様である。
【００５２】
また、読み取り機器４０によって読み取られたＩＣタグ３０が具備するＩＤコードは、既知の有線または無線手段によりＰＣ等に転送される。管理者は、読み取ったＩＤコードから、ＰＣ内のＩＤコードに基づいたデータベースより、レンタル履歴や収益度等の各種情報を更新する。尚、データベースは、読み取り機器４０内にダウンロードされていても構わない。
【００５３】
以上より、本構成によれば、組み付け状態及び段積み状態のいずれにおいても、ＩＣタグ３０を読み取れる位置に、位置精度良く、ＩＣタグ３０が固定できる構成を具備するパネルを提供することができる。
【００５４】
また、このように、組み付け状態及び段積み状態のいずれにおいても、ＩＣタグ３０を読み取れる位置に、位置精度良くＩＣタグ３０が固定された各種パネルは、管理者によって商品管理することができる。
【００５５】
具体的には、仕入れ業務や、貸し出し・引き取り業務（入出庫業務）や、棚卸（在庫管理業務）等において、商品管理することができる。
【００５６】
パネルの仕入れ業務を行う場合は、先ず、管理者は、管理者のＰＣ等のデータベース内の商品台帳に対し、仕入れ予定商品（パネル）の基本情報（ＩＤコード、機器分類、商品詳細情報等）を事前に登録する。
【００５７】
その後、管理者は、仕入れ後、入荷したパネルの１つ１つに対して、ＩＣタグ３０をパネルの上述した位置に設けた後、読み取り機器４０を用いて、各パネルのＩＣタグ３０を読み取り、各ＩＣタグに登録されているＩＤコードを読み取って、仕入れ情報を収集する。
【００５８】
最後に管理者は、読み取り機器４０から、有線または無線手段を用いてＰＣ内に、ＩＤコードを送信し、ＰＣ内の商品台帳に登録されている商品情報を利用開始として、在庫データに商品登録を行う。以上により、仕入れ業務が行われる。
【００５９】
また、入出庫業務を行う際は、先ず管理者は、顧客が所持している磁気カードを利用して、顧客受付認証を行う。その結果、受付情報は、貸し出しまたは引き取り情報としてＰＣ内のデータベースに登録される。
【００６０】
次に、管理者は、貸し出し、引き取り業務を行うため、受付情報を、有線または無線手段を用いて読み取り機器４０に送信する。
【００６１】
その後、管理者は、読み取り機器４０に、受付情報の顧客コードを入力する。尚、この際、受付情報に無い顧客の処理は、諸口扱いとする。
【００６２】
次いで、管理者は、貸し出しパネル、引き取りパネルの各ＩＤタグ３０を、読み取り機器４０を用いて読み取り、入出庫情報（入出庫区分コード、顧客コード、ＩＤコード、日付）を収集した後、最後に、入出庫情報を、ＰＣに有線または無線手段で送信し、ＰＣ内のデータベースに、ＩＤコードに基づいた入出庫情報を登録する。以上により、入出庫業務が行われる。
【００６３】
さらに、在庫管理業務を行う際は、先ず、管理者は、読み取り機器４０を用いて、各パネルのＩＣタグを読み取り、読み取ったＩＤコードから棚卸し情報を収集する。その後、管理者は、読み取り機器４０から有線または無線手段を用いてＰＣに、棚卸し情報を送信し、ＰＣ内のデータベースに、ＩＤコードに基づいた棚卸し情報を登録する。以上により在庫管理業務は行われる。
【００６４】
以上のように、ＩＣタグを用いてパネルの管理業務を行えば、ＩＣタグから読み取ったＩＤコードとデータベースを用いて、入出庫業務においては、パネルの入出庫予定枚数に対して、正確な枚数を入庫及び出庫することができることから、入出庫ミスの発生を防げる他、在庫管理業務においては、商品や数量間違いが発生し、棚卸し業務に多くの時間がかかってしまうことが防げるといった効果があり、さらに、パネルのレンタル履歴や収益度を容易に把握することができることから、時価償却前に、パネルを転売してしまうことを防ぐことができ、また、パネルにＩＣタグを付けることにより、パネルが個別資産としての認識が可能となることから、パネルをファイナンス対象とすることができる。
【００６５】
よって、容易かつ正確に、ユニットハウスを構成する商品の管理業務が行えるシステムを提供することができる。
【００６６】
尚、上述した本実施の形態においては、パネルを例に挙げて示したが、これに限らず、ユニットハウスを構成する他の部品に適用しても構わないということは勿論である。
【符号の説明】
【００６７】
１…ユニットハウス
５…梁
６…梁
６ａ…上面
６ｃ…一側面
１０…パネル
１１…パネル
１２…パネル
１３…パネル
１４…パネル
１５…パネル
１６…パネル
１９…パネル
２１…パネル本体
２２…フレーム（固定部材）
２３…金属枠
２３ｂ…底面
２４…内壁材
２５…外壁材
２６…コア材
２６ａ…上面
２６ｂ…底面
２６ｃ…側面
２６ｄ…側面
３０…ＩＣタグ
Ａ…厚さ方向
Ｈ…高さ方向
Ｋ…空間
Ｌ…幅方向
Ｓ…間隙
Ｔ１…一側面
Ｔ２…他側面
【図１】
2011017145.tif 000003
【図２】
2011017145.tif 000004
【図３】
2011017145.tif 000005
【図４】
2011017145.tif 000006
【図５】
2011017145.tif 000007
【図６】
2011017145.tif 000008
【図７】
2011017145.tif 000009
【図８】
2011017145.tif 000010